(57)【要約】      （修正有）【課題】平坦でない接地面においても揺れや倒れを確実に防止し、自立することが可能な梯子状脚体を提供する。【解決手段】脚部１２を備えた脚立型の梯子状脚体であって、脚部は、脚柱部材１３ａ〜１３ｄの下端に軟質部材１２ａが取り付けられ、脚部を有しない脚柱部材の上端部を折り曲げ自在に連結されており、軟質部材の下端にそれぞれ棒状の脚柱受け部材１２ｂが取り付けられ、脚柱受け部材の両端に地面と接触する接地部材１２ｃが取り付けられている。【選択図】図１
0003230888.tif 000002
【実用新案登録請求の範囲】
【請求項１】
脚部を備えた脚立型の梯子状脚体であって、
前記脚部（１２）を有しない脚柱部材（１３）の上端部を折り曲げ自在に連結されており、
前記脚部（１２）は、脚柱部材（１３）の下端に軟質部材（１２ａ）が取り付けられ、
前記軟質部材（１２ａ）の下端にそれぞれ棒状の脚柱受け部材（１２ｂ）が取り付けられ、
前記脚柱受け部材（１２ｂ）の両端に地面と接触する接地部材（１２ｃ）が取り付けられていることを特徴とする梯子状脚体。
【請求項２】
脚部（１２）を備えた脚立型の梯子状脚体であって、
前記脚部（１２）を有しない脚柱部材（１３）の上端部を折り曲げ自在に連結されており、
前記脚部（１２）は、脚柱部材（１３）の下端に軟質部材（１２ａ）が取り付けられ、
前記軟質部材（１２ａ）の下端にそれぞれテーブル状の脚柱受け部材（１２ｂ）が取り付けられ、
前記脚柱受け部材（１２ｂ）の隅に地面と接触する接地部材（１２ｃ）が取り付けられていることを特徴とする梯子状脚体。
【考案の詳細な説明】
【技術分野】
【０００１】
本考案は、自立状態で設置し、作業を安全に行うことが可能な梯子状脚体に関する。
【背景技術】
【０００２】
従来、高所作業に使用される脚立として、対向する梯子状脚体が作業台の下側に傾動可能に設けられているものが広く使用されており、梯子状脚体を開脚して脚立を使用する場合、梯子状脚体の幅方向に対向する脚柱部材の下端部間の距離は、開脚方向に対向する脚柱部材の下端部間の距離より狭くなる。
このため、脚立の上に乗って作業を行なう際に、梯子状脚体の開脚方向よりも幅方向に揺れ易く、しかも、倒れ易くなるという問題があり、各梯子状脚体の脚柱部材の下端部に転倒防止具を取付けることが提案されている（例えば、特許文献１参照）。
【先行技術文献】
【特許文献】
【０００３】
【特許文献１】特開平１１−６２４４９号公報
【考案の概要】
【考案が解決しようとする課題】
【０００４】
しかし、特許文献１に記載の転倒防止具は重量があり、持ち運びにおいて支障がある。
本考案はかかる事情に鑑みてなされたもので、平坦でない接地面においても揺れや倒れを確実に防止し、自立することが可能な梯子状脚体を提供することを目的とする。
【課題を解決するための手段】
【０００５】
上記課題を解決するため、本考案の梯子状脚体は、以下の特徴を備えている。
（１）脚部１２を備えた脚立型の梯子状脚体であって、
前記脚部１２は、脚柱部材１３の下端に軟質部材１２ａが取り付けられ、
前記脚部１２を有しない脚柱部材１３の上端部を折り曲げ自在に連結されており、
前記軟質部材１２ａの下端にそれぞれ棒状の脚柱受け部材１２ｂが取り付けられ、
前記脚柱受け部材１２ｂの両端に地面と接触する接地部材１２ｃが取り付けられていることを特徴とする。
（２）脚部１２を備えた脚立型の梯子状脚体であって、
前記脚部１２を有しない脚柱部材１３の上端部を折り曲げ自在に連結されており、
前記脚部１２は、脚柱部材１３の下端に軟質部材１２ａが取り付けられ、
前記軟質部材１２ａの下端にそれぞれテーブル状の脚柱受け部材１２ｂが取り付けられ、
前記脚柱受け部材１２ｂの隅に地面と接触する接地部材１２ｃが取り付けられていることを特徴とする。
【考案の効果】
【０００６】
本考案の梯子状脚体は、平坦でない接地面においても揺れや倒れを確実に防止し、自立することが可能である。
【図面の簡単な説明】
【０００７】
【図１】実施例１における梯子状脚体の斜視図である。
【図２】実施例２における踏台を有する梯子状脚体の斜視図である。
【図３】実施例３において梯子状脚体を一直線状に伸ばした際の正面図である。
【図４】実施例３における梯子状脚体を一直線状に伸ばした際の側面図である。
【図５】実施例４におけるテーブルを有する梯子状脚体の斜視図である。
【図６】実施例５におけるテーブル及び踏台を有する梯子状脚体の斜視図である。
【図７】実施例６におけるテーブルを有する梯子状脚体を一直線状に伸ばした際の正面図である。
【考案を実施するための形態】
【０００８】
以下、添付図に示す実施例を参照しながら、本考案の梯子状脚体を具体的に説明する。
【０００９】
＜実施例１＞
図１は、実施例１における梯子状脚体の斜視図である。
実施例１の梯子状脚体は、図１に示すように、脚柱部材１３を一定の間隔を開けて配設し、左右の脚柱部材１３ａ、１３ｂ一対の間、脚柱部材１３ｃ、１３ｄ一対の間に、短尺の踏桟１４を架設し、梯子状脚体を形成している。
すなわち、実施例１の梯子状脚体は、脚部１２を備えた脚立型の梯子状脚体であって、前記脚部１２を有しない脚柱部材１３の上端部は折り曲げ自在に連結されている。
また、前記脚部１２は、４本の脚柱部材１３（１３ａ、１３ｂ、１３ｃ、１３ｄ）のそれぞれの下端に軟質部材１２ａが取り付けられている。
前記軟質部材１２ａの下端にそれぞれ棒状の脚柱受け部材１２ｂが取り付けられ、
前記脚柱受け部材１２ｂの前後両端に地面と接触する接地部材１２ｃが取り付けられており、前記脚柱受け部材１２ｂは、それぞれ、前記脚柱部材１３間を上下に間をおいて架設された踏桟１４に対して直角方向に延伸するように取り付けられている。
【００１０】
＜脚柱部材＞
脚柱部材１３としては、左右一対２本、前後一対２本（全４本）の部材等が挙げられる。
その素材としては、例えば、断面長方形や丸形の中空のアルミなどの金属パイプなどが挙げられる。
また、脚柱部材１３は、長さ数ｍの金属パイプを、中間の折り曲げ関節部材１３ｅを介して前後に連結されており、折り曲げ・開脚が自在となっている。
【００１１】
＜脚部＞
また、脚柱部材１３の下端には、地面等に梯子状脚体を支持するための脚部１２が設けられている。
すなわち、実施例１の梯子状脚体には、図１に示すように、４本の脚柱部材１３の下端にはΠ字状の脚部１２が取り付けられている。
脚部１２は、軟質部材（ゴムなど）１２ａ、棒状の脚柱受け部材（金属棒や金属パイプなど）１２ｂ、脚柱受け部材１２ｂから下に延びる接地部材１２ｃ、接地部材１２ｃの下端に緩衝部材１２ｄが、順次取り付けられている。
緩衝部材１２ｄは地面との接触部に取り付けられており、緩衝及び滑り止めなどの機能を有し、ゴムなどの素材が適用される。
本考案の梯子状脚体は、脚部１２を備えることにより、自立でき、凹凸のある足場の悪い場所でも安定して設置でき、安全に作業をすることができる。
【００１２】
＜脚柱受け部材＞
なお、脚柱受け部材１２ｂは、それぞれ、一対の脚柱部材１３ａ、１３ｂ間を上下に間をおいて架設された踏桟１４に対して直角方向に延伸するように取り付けられている。
すなわち、図１に示すように、棒状の脚柱受け部材１２ｂは、一対の脚柱部材１３ａ、１３ｂ間に架設された踏桟１４のＹ方向に対して直角方向（Ｘ方向）に延伸するように取り付けられている。
【００１３】
＜接地部材＞
接地部材１２ｃは、その先端に固着された弾性変形可能で滑り止め効果を備えた緩衝部材１２ｄを有している。
【００１４】
＜踏桟＞
前側の併行する左右一対の脚柱部材１３ａ、１３ｂ間には、数十ｃｍの間隔を隔てて、短尺の複数本の踏桟１４が水平方向（Ｙ方向）に架設されている。
同様に、後側の併行する左右一対の脚柱部材１３ｃ、１３ｄ間にも踏桟１４が水平方向（Ｙ方向）に架設されている。
【００１５】
このように、実施例１の梯子状脚体は、脚柱部材１３を折り畳んだ不使用状態から開脚して、脚立として使用することができるものである。
さらに、脚部１２を有しない脚柱部材１３の上端部の関節部材１３ｅを介して折り曲げ自在に連結している。
これにより、関節部材１３ｅを中心として回動させて図１の状態に折り畳み脚立として使用することができる。
また、脚柱部材１３を一直線状に伸長させて、梯子として使用することもできる。
【００１６】
＜実施例２＞
図２は、実施例２における踏台を有する梯子状脚体の斜視図である。
実施例２の梯子状脚体は、図２に示すように、脚部１２を有しない脚柱部材１３の上端部に踏台１５を備えている。これにより梯子状脚体を用いての作業性が増す。
踏台１５を備えている点で実施例１の梯子状脚体と異なっているが、その他は実施例１と同様である。
【００１７】
＜実施例３＞
図３は、実施例３において梯子状脚体を一直線状に伸ばした際の正面図である。
実施例３の梯子状脚体は、図３に示すように、脚柱部材１３を一直線上に伸長して梯子として使用することができる。
図４は、実施例３における梯子状脚体を一直線状に伸ばした際の側面図であり、
脚柱部材１３の上端に取り付けた脚部１２を縦の壁に接触させた状態を示している。
例えば、家屋の外壁などに伸長した梯子を立て掛ける場合には、軟質部材１２ａを折り曲げて脚部１２を壁方向に向け、接地部材１２ｃが壁に密着するようにする。
これにより、接地させたほうの脚部１２で安定させるとともに、上部の脚部１２を壁に密着固定することにより、脚柱部材１３ｃ、１３ｄの上部の揺れを抑止することができ、安全に作業をすることができる。
【００１８】
＜実施例４＞
図５は、実施例４におけるテーブルを有する梯子状脚体の斜視図である。
実施例４のテーブルを有する梯子状脚体は、脚部１２を備えた脚立型の梯子状脚体であって、前記脚部１２を有しない脚柱部材１３の上端部を折り曲げ自在に連結されており、前記脚部１２は、脚柱部材１３の下端に軟質部材１２ａが取り付けられ、前記軟質部材１２ａの下端にそれぞれテーブル状の脚柱受け部材１２ｂが取り付けられ、前記脚柱受け部材１２ｂの隅に地面と接触する接地部材１２ｃが取り付けられていることを特徴とする。
すなわち、脚柱部材１３の下端部の脚柱受け部材１２ｂとして、棒状の形態に変えて、テーブル状の脚柱受け部材１２ｂが取り付けられている。
このようなテーブル状の脚柱受け部材１２ｂを設けることにより、脚部１２を地面に向けて設置する場合に、より安定させて自立させることができる。
この点において、実施例１の梯子状脚体と異なっている。
なお、脚部１２には、軟質部材（ゴムなど）１２ａ、テーブル状の脚柱受け部材１２ｂ、脚柱受け部材１２ｂから下に延びる接地部材１２ｃ、接地部材１２ｃの下端に緩衝部材１２ｄが、順次取り付けられている。
緩衝部材１２ｄは地面との接触部に取り付けられており、緩衝及び滑り止めなどの機能を有し、ゴムなどの素材が適用される。
実施例４の梯子状脚体は、テーブル状の脚柱受け部材１２ｂを備えた脚部１２を備えることにより、自立でき、凹凸のある足場の悪い場所でも安定して設置でき、安全に作業をすることができる。
【００１９】
実施例４の梯子状脚体において、軟質部材１２ａの下端にそれぞれテーブル状の脚柱受け部材１２ｂの材質としては、アルミ板やステンレス板などの金属板が挙げられる。
テーブルの形状としては、三角形や四角形などが挙げられる。
テーブル状の脚柱受け部材１２ｂの大きさは、その面積が大きいいほうが梯子状脚体は安定はするが、大きすぎると重厚になり、取り扱いが不便になるので、適宜な大きさが決められる。
また、テーブル状の脚柱受け部材１２ｂの下端の隅には接地部材１２ｃが設けられている。
よって、梯子状脚体をしっかりと自立させることができる。
なお、脚柱受け部材１２ｂをなすテーブルの取り付け方法としては、図５に示すように、踏桟１４の架設方向（Ｙ方向）に対して、テーブル１２ｂの一辺の成す方向（Ｚ方向）が同じ方向であることが好ましい。
これにより、実施例４の梯子状脚体を壁に立て掛けた際に、壁と干渉せずに設置できるので好ましい。
【００２０】
また、実施例４の梯子状脚体も、脚柱部材１３を折り畳んだ不使用状態から開脚して、脚立として使用することができるものである。
さらに、脚部１２を有しない脚柱部材１３の上端部の関節部材１３ｅを介して折り曲げ自在に連結している。
これにより、関節部材１３ｅを中心として回動させて図１の状態に折り畳み脚立として使用することができる。
また、脚柱部材１３を一直線状に伸長させて、梯子として使用することもできる（図７参照）。
【００２１】
＜実施例５＞
図６は、実施例５におけるテーブル及び踏台を有する梯子状脚体の斜視図である。
実施例５のテーブルを有する梯子状脚体は、図６に示すように、脚部１２を有しない脚柱部材１３の上端部に踏台１５を備えている。これにより梯子状脚体を用いての作業性が増す。
踏台１５を備えている点で実施例４の梯子状脚体と異なっているが、その他は実施例４と同様である。
【００２２】
＜実施例６＞
図７は、実施例６におけるテーブルを有する梯子状脚体を一直線状に伸ばした際の正面図である。
実施例６のテーブルを有する梯子状脚体は、図７に示すように、脚柱部材１３を一直線上に伸長して梯子として使用することができる。
実施例６のテーブルを有する梯子状脚体も、図４に示したように、脚柱部材１３の上端に取り付けたテーブルを有する脚部を縦の壁に接触させて立て掛けることができる。
例えば、家屋の外壁などに伸長した梯子を立て掛ける場合には、軟質部材１２ａを折り曲げて脚部１２を壁方向に向け、接地部材１２ｃが壁に密着するようにする。
これにより、接地させたほうのテーブルを有する脚部１２で安定させるとともに、上部のテーブルを有する脚部１２を壁に密着固定することにより、脚柱部材１３ｃ、１３ｄの上部の揺れを抑止することができ、安全に作業をすることができる。
【００２３】
なお、添付図面を参照しながら本考案の好適な実施形態について詳細に説明したが、本考案はかかる例に限定されない。
本考案の属する技術の分野における通常の知識を有する者であれば、実用新案登録請求の範囲に記載された技術的思想の範疇内において、これら実施形態や変形例に対して更なる修正を試みることは明らかであり、これらについても当然に本考案の技術的範囲に属するものと了解される。
【産業上の利用可能性】
【００２４】
本考案の梯子状脚体は、家庭用や工事現場などでの高所作業において、自立して安全に設置でき、広く用いることができるので、産業上の利用可能性が高い。
【符号の説明】
【００２５】
１２：脚部
１２ａ：軟質部材
１２ｂ：脚柱受け部材
１２ｃ：接地部材
１２ｄ：緩衝部材
１３、１３ａ、１３ｂ、１３ｃ、１３ｄ：脚柱部材
１３ｅ：中間の折り曲げ関節部材 
１４：踏桟
１５：踏台
【図１】
0003230888.tif 000003
【図２】
0003230888.tif 000004
【図３】
0003230888.tif 000005
【図４】
0003230888.tif 000006
【図５】
0003230888.tif 000007
【図６】
0003230888.tif 000008
【図７】
0003230888.tif 000009